(57)【要約】【課題】普段は蓋の閉鎖状態を確実に保持させ、納骨時等には納骨口の両側が狭い場合でも蓋の開放を可能にして、お骨の盗難を防止する墓の納骨口蓋の設置構造を提供する。【解決手段】支持部材１８の取付基部１８ａを墓１の納骨口６ａの両側上部に固着し、該両側の支持部材１８の貫通孔１８ｂに係止部材１９を挿入して先端を納骨口６ａの蓋７の両側上部の係止孔７ａに挿入係止させ、頭部を取外し防止具２０により被覆させたロックねじ２１により両側の係止部材１９を支持部材１８の貫通孔１８ｂ内でそれぞれ抜け止め固定させた。【選択図】図１
2005126968.tif 000002
【特許請求の範囲】
【請求項１】
軸線方向の一端に取付基部を有し、軸線方向途中に軸線方向と直交する貫通穴を備え、軸線方向の他端に該貫通孔に達するねじ孔を軸線方向に平行に設けた支持部材と、該支持部材の貫通孔に挿脱可能に挿通される係止部材と、支持部材の前記ねじ孔に螺合され、係止部材を支持部材の貫通孔内で抜け止め固定するロックねじと、ロックねじの頭部に回転自在に装着され、専用工具によってのみ取外し可能とされた取外し防止具とを備え、
前記支持部材の取付基部を墓の納骨口の両側上部に該支持部材の軸線を前後方向に水平又は上下方向に垂直に固着し、該両側の支持部材の貫通孔に係止部材をそれぞれ挿入して先端を前記納骨口の蓋の両側上部の係止孔に挿入係止させ、この状態で両側の支持部材の他端のねじ孔にロックねじを螺合してこのロックねじにより前記両側の係止部材を前記支持部材の貫通孔内でそれぞれ抜け止め固定させ、この状態で両側のロックねじの頭部を取外し防止具によりそれぞれ被覆させたことを特徴とする墓の納骨口蓋の設置構造。
【請求項２】
前記取外し防止具は、前記ロックねじの頭部を被覆し、内面に環状溝を有するキャップと、該キャップの環状溝と前記ロックねじの頭部の外周に形成された環状溝とに跨って弾性的に拡縮変形可能に嵌着され、前記キャップを前記ロックねじの頭部に回転自在に係止する係止リングとを有し、前記キャップの外面には、前記内面の環状溝に達する横穴が複数個形成され、この複数個の横穴に同時に挿入して前記係止リングを縮径させる専用工具によって取外し可能とされていることを特徴とする請求項１に記載の墓の納骨口蓋の設置構造。
【発明の詳細な説明】
【技術分野】
【０００１】
本発明は、墓の納骨口蓋の設置構造に関するものである。
【背景技術】
【０００２】
墓の納骨口は、普段は石材製の蓋で閉鎖されているが、新しく亡くなった人のお骨を納骨室に納める必要があるため、該蓋は納骨室の前面に取付け・取外し可能に設置されている。
従来の納骨口蓋は、納骨室の前面に単に立て掛けてあるだけの場合が最も一般的であった（例えば、特許文献１参照）。なお、蓋と納骨口周囲の隙間を外側からセメントで薄く目塗りしている場合もあるが、この場合は、納骨後に雨水の侵入を防止することを目的として施工しているもので、その場合でも次回の取外しが可能であるように施工されている程度であった。
【特許文献１】実用新案登録第３０８８６８２号公報
【発明の開示】
【発明が解決しようとする課題】
【０００３】
しかしながら、上記従来の蓋の設置構造では、地震等によって蓋が倒れて納骨口が開口したままとなったり、誰でもが蓋を容易に移動させて納骨口を開口させることができ、納骨口の閉鎖保持が不十分となり、場合によっては、納骨室内のお骨が盗難に遭遇する場合があった。また、墓地が高価であることや墓地が不足していることなどのため、十分な広さの墓地を確保することが困難であり、納骨口の両側に側壁部材を接近して設置せざるを得ないために納骨口の両側が狭く制約される場合が少なくない。
そこで、本発明は、普段は蓋の閉鎖状態を確実に保持させ、納骨時等には納骨口の両側が狭い場合でも蓋の開放を可能にして、お骨の盗難も簡易に防止できる墓の納骨口蓋の設置構造を提供することを課題としている。
【課題を解決するための手段】
【０００４】
前記課題を解決するため、本発明は、軸線方向の一端に取付基部を有し、軸線方向途中に軸線方向と直交する貫通穴を備え、軸線方向の他端に該貫通孔に達するねじ孔を軸線方向に平行に設けた支持部材と、該支持部材の貫通孔に挿脱可能に挿通される係止部材と、支持部材の前記ねじ孔に螺合され、係止部材を支持部材の貫通孔内で抜け止め固定するロックねじと、ロックねじの頭部に回転自在に装着され、専用工具によってのみ取外し可能とされた取外し防止具とを備え、前記支持部材の取付基部を墓の納骨口の両側上部に該支持部材の軸線を前後方向に水平又は上下方向に垂直に固着し、該両側の支持部材の貫通孔に係止部材をそれぞれ挿入して先端を前記納骨口の蓋の両側上部の係止孔に挿入係止させ、この状態で両側の支持部材の他端のねじ孔にロックねじを螺合してこのロックねじにより前記両側の係止部材を前記支持部材の貫通孔内でそれぞれ抜け止め固定させ、この状態で両側のロックねじの頭部を取外し防止具によりそれぞれ被覆させたことを特徴としている。
【０００５】
前記取外し防止具は、前記ロックねじの頭部を被覆し、内面に環状溝を有するキャップと、該キャップの環状溝と前記ロックねじの頭部の外周に形成された環状溝とに跨って弾性的に拡縮変形可能に嵌着され、前記キャップを前記ロックねじの頭部に回転自在に係止する係止リングとを有し、前記キャップの外面には、前記内面の環状溝に達する横穴が複数個形成され、この複数個の横穴に同時に挿入して前記係止リングを縮径させる専用工具によって取外し可能とされていることを特徴としている。
【発明の効果】
【０００６】
本発明によれば、取外し防止具の取り外し操作及びロックねじの取外し操作を納骨口の前面両側の前方又は下方から実施することができ、納骨口の前面両側が狭い場合においても納骨口の蓋の移動開放及び納骨後の蓋の閉鎖保持を支障なく行うことができる。
ロックねじは取外し防止具で被覆させてあるため、蓋の閉鎖状態を確実に保持させることができ、お骨の盗難を防止することができる。納骨時などには取外し防止具を専用工具で取り外してロックねじによるロックを解除させ得るため、蓋を開放して納骨を支障なく実施することができる。
【発明を実施するための最良の形態】
【０００７】
以下、本発明の実施の形態を図面に基づいて説明する。
図２及び図３において、墓１は、台座部材２と天板３との間に隅柱４と側壁５を立設して納骨室６を囲繞形成し、納骨室６の前面を開口させて納骨口６ａとし、納骨口６ａの前面の前壁部材６ｂに蓋７が取付金具２２によって固定保持されている。
納骨室６の天板３上には、中台１０、上台１１、棹石１２が順次載置されて墓１とされている。墓１の前面両側には大柱１３、手摺１４を取付けて参道とし、敷石１５が敷設されている。上記墓１の主要構成部材は、石材で構成されている。
【０００８】
蓋７は、納骨口６ａの前面を閉鎖し得る大きさの板状石材で構成されており、その両側上端付近には係止孔７ａが形成されている。なお、蓋７の前面は、納骨された故人の霊標として利用される。
取付金具２２は、図１の（Ａ）（Ｂ）（Ｃ）に示すように、支持部材１８と係止部材１９及び取外し防止具２０付きのロックねじ２１とにより構成されている。支持部材１８は、係止部材１９を介して蓋７を納骨口６ａの前面に固定保持させるためのもので、図１の（Ａ）、図２及び図３に示すように、前壁部材６ｂに前後方向へ水平に固着されている。
【０００９】
前記支持部材１８は、円柱状をなし、図１の（Ａ）（Ｂ）に示すように、上端（軸線方向一端）付近に取付基部１８ａを有し、軸線方向の途中に該軸線方向に直交する横方向の貫通穴１８ｂを形成し、下端（軸方向他端）から上記貫通孔１８ｂに達するねじ孔１８ｃを軸方向に平行に形成している。
取付基部１８ａは、支持部材１８の主体部よりも若干小径とされ、前壁部材６ｂへの取付段部１８ｄを形成している。
前壁部材６ｂには、納骨口６ａの両側上部に対応させて取付孔６ｃが形成されており、この取付孔６ｃに支持部材１８の取付基部１８ａを挿入し、適宜の接着剤を介して接着固定され、これによって、支持部材１８が前壁部材６ｂに前後方向へ水平に固着されている。前記接着剤としては、耐震用ボンドを使用するのが好ましいが、他の接着剤でもよい。
【００１０】
前記取付基部１８ａには、環状凹溝１８ｅが複数段形成してあり、この環状凹溝１８ｅに接着剤を滞留係止させて接着剤の接着強度をアップさせるようにしている。支持部材１８は、真鍮、ブロンズ、ステンレス、チタン合金、その他の金属材料、繊維強化プラスチック、その他、酸性雨等に対する耐食性、炎天下等での耐候性、耐久性、耐震性、強度等を有する適宜の材料で製作されるものである。
係止部材１９は、納骨口６ａの蓋７の両側の係止孔７ａに該蓋７の上端に近い位置で上下方向に隙間を以って係合させてある。
【００１１】
前記係止部材１９は、大径の頭部１９ａをもつ金属製ピン形状とされ、先端に係止部１９ｂを有し、基部１９ｃに環状のロック溝１９ｄが形成され、前記支持部材１８の貫通孔１８ｂに挿入される。大径の頭部１９ａには、ピン穴１９ｅが軸線に直交して貫通形成されている。基部１９ｃは、貫通孔１８ｂと同径乃至若干小径とされ、係止部１９ｂは、基部１９ｃより若干小径とされている。貫通孔１８ｂの入口側には頭部１９ａを係止させるための座ぐり段部１８ｆが形成されている。
前記支持部材１８の下端のねじ孔１８ｃには、取外し防止具２０付きのロックねじ２１が螺合されている。このロックねじ２１は、大径の円形頭部２１ａと小径の角形頭部２１ｂとを頭部に有する。取外し防止具２０は、図１の（Ｃ）に示すように、ロックねじ２１の大径の円形頭部２１ａに回転可能に被覆装着され、内面に環状溝２０ａを有するキャップ２０ｂと、該キャップ２０ｂの環状溝２０ａと大径の円形頭部２１ａの外周に形成された環状溝２１ｃとに跨って弾性的に拡縮変形可能に嵌着され、前記キャップ２０ｂを前記環状溝２１ｃに回転自在に係止する係止リング２０ｃとを有している。
【００１２】
上記係止リング２０ｃは、割環状とされており、この係止リング２０ｃによって、普段はキャップ２０ｂを環状溝２１ｃに係止させてロックねじ２１の頭部をキャップ２０ｂで被覆し、ロックねじ２１を外部から直接回せないようにすると共に、キャップ２０ｂを回わしても、ロックねじ２１は回らずキャップ２０ｂだけが空転するだけとし、これによって、ロックねじ２１で支持部材１８の貫通孔１８ｂ内にロックされた係止部材１９を支持部材１８の貫通孔１８ｂから抜き取ることを防止させている。
前記キャップ２０ｂの外面には、前記内面の環状溝２０ａに達する横穴２０ｄが複数個（例えば、９０°間隔で４個）形成されている。
【００１３】
納骨時、この横穴２０ｄに同時に係合して縮径方向に一斉に動作する専用工具（図示省略）を使用することにより、係止リング２０ｃを縮径させてキャップ２０ｂの環状溝２０ａから外すことによって、キャップ２０ｂをロックねじ２１の大径の円形頭部２１ａから抜き取ることができるようにしている。
なお、ロックねじ２１の小径の角形頭部２１ｂの頂面には、マイナス溝やプラス溝或いはコイン嵌合溝、又は、角穴等を形成しておいてもよい。
前記キャップ２０ｂの外周面は、円形、角形のいずれでもよいが、内周面は、円形としておくのが好ましく、特に、キャップ２０ｂの開口端側の内周面には、係止リング２０ｃを縮径させるためのテーパー状の案内面を形成しておくのが好ましい。
【００１４】
前記係止部材１９、ロックねじ２１及びキャップ２０ｂ並びに係止リング２０ｃは、前記支持部材１８と同一材料で構成してもよく、別材料で構成してもよい。しかし、酸性雨等に対する耐食性、炎天下等での耐候性、耐久性、耐震性、強度等を有する適宜の材料で製作されるのが好ましい。
本発明に係る墓の納骨口蓋の設置構造の実施形態は以上の構成からなり、次にその施工例並びに使用例を説明する。
先ず、既存の墓１に適用する場合は、現場で前壁部材６ｂに取付孔６ｃの孔明け加工及び蓋７の両側面への係止孔７ａの形成加工をするか、解体して工場等の作業場所にそれらを持ち帰って同様な加工を施す。墓１を新規に製作設置する場合には、上記加工を工場等の作業場所で行う。この場合、前壁部材６ｂに対する取付孔６ｃの形成位置は、納骨口６ａの前面両側位置及び蓋７の閉鎖状態の両側面位置を考慮して、これらの位置に対応するように形成される。そして、支持部材１８の取付基部１８ａを前壁部材６ｂの取付孔６ｃに挿入し、接着剤で接着固定する。この場合、支持部材１８の貫通孔１８ｂの向きを同一線上に対向するように接着固定する。そのために、例えば、前壁部材６ｂの取付孔６ｃの周囲に予め目印を付け、支持部材１８の取付段部１８ｄの周囲にも同様な目印を付けておき、これらを整合させるようにする。蓋７の両側面への係止孔７ａの形成加工も同様な考慮をして行えばよい。ここまでの加工は、工場等の作業場所で行って、後は現場で行うのが望ましいが、現場で実施してもよい。このようにして、前壁部材６ｂに支持部材１８を前後方向に水平にして固着すると、現場で蓋７を納骨口６ａの前面に搬入して閉鎖状態に立て掛け、係止部材１９を支持部材１８の貫通孔１８ｂに挿通し、先端の係止部１９ｂを蓋７の係止孔７ａに係合させる。そして、ロックねじ２１をねじ孔１８ｃにねじ込んでロックねじ２１の先端を係止部材１９のロック溝１９ｄに当接係合させる。これにより、係止部材１９は、支持部材１８の貫通孔１８ｂ内で抜け止め状態にロックされる。この状態でロックねじ２１の大径の円形頭部２１ａに取外し防止具２０のキャップ２０ｂを被せる。ロックねじ２１の環状溝２１ｃには係止リング２０ｃを嵌合させておき、キャップ２０ｂをロックねじ２１の大径の円形頭部２１ａに被せ、キャップ２０ｂの開口端側内面のテーパー状案内面で係止リング２０ｃを縮径させながら押し込み、係止リング２０ｃをキャップ２０ｂの内面の環状溝２０ａに嵌合させる。これにより、設置作業は終了する。
【００１５】
本発明においては、支持部材１８は、納骨口６ａの前面両側上部に固着してあるため、蓋７の両側を１箇所ずつ支持させるだけであるにも拘らず、蓋７を納骨口６ａの前面で閉鎖状態に安定して固定保持させることができる。しかも、蓋７の係止孔７ａに係止部材１９を上下方向に隙間を以って係合させることによって、蓋７の自重が、係止部材１９や支持部材１８に掛からないように、蓋７の自重を納骨口６ａ前面下部の地面や台座部材等に負担させることができる。これによって、地震発生時においても、蓋７と係止部材１９及び支持部材１８とは相対的な動きが許容され、損傷を免れることが可能となる。したがって、上記構成によれば、蓋７を２点で支持するだけでよいため、蓋７の設置構造を簡単化することができるとともに、耐久性を向上させることができる。
【００１６】
また、ロックねじ２１は、支持部材１８の他端のねじ孔１８ｃに螺合固着させてあるため、地震等があっても該ロックねじ２１が支持部材１８から脱落することはなく、蓋７を閉鎖状態に確実に保持させておくことができる。
普段はこの状態に保持される。この状態においては、ロックねじ２１は、取外し防止具２０のキャップ２０ｂで被覆されており、キャップ２０ｂは、係止リング２０ｃによってロックねじ２１の大径の円形頭部２１ａに回転可能な状態で係止されているので、ロックねじ２１を回すことはできない。これによって、蓋７の係止孔７ａに先端の係止部１９ｂを挿入して蓋７を納骨口６ａの前面で固定保持している係止部材１９は、支持部材１８の貫通孔１８ｂ内でロックねじ２１の先端により抜け止め状態で係止保持されたままとなる。なお、キャップ２０ｂを回すことはできるが、キャップ２０ｂとロックねじ２１の大径の円形頭部２１ａとは係止されておらず、キャップ２０ｂだけが空転するだけとなるので、ロックねじ２１を支持部材１８のねじ孔１８ｃから取外すことはできない。そのため、係止部材１９を支持部材１８の貫通孔１８ｂから抜き出せず、これによって、蓋７を納骨口６ａから移動させることはできず、納骨室６内のお骨が盗まれるようなことはない。
【００１７】
納骨時、専用工具を持参して、キャップ２０ｂの周囲の横穴２０ｄに同時にピンを係合させて係止リング２０ｃを縮径させてキャップ２０ｂを外す。そして、ロックねじ２１の小径の角形頭部２１ｂを回動させてロックねじ２１を支持部材１８のねじ孔１８ｃから外せば、支持部材１８の貫通孔１８ｂから係止部材１９を抜き取ることができる。この場合、長期間の間に、係止部材１９が支持部材１８の貫通孔１８ｂ内で錆付きなどを生じて抜き取りが困難となっている場合もあるが、そのような場合には、係止部材１９の頭部１９ａのピン穴１９ｅにピンを差し込んで係止部材１９を回すことにより錆付きを解除して抜き取るようにするものである。これによって、蓋７を動かすことができ、納骨口６ａを開放させて納骨することができる。納骨後は、逆の手順で蓋７を閉鎖状態に戻せばよい。なお、専用工具は、キャップ２０ｂ内で係止リング２０ｃを周囲から締め付けて縮径させるようにするため、この縮径状態では、係止リング２０ｃの内径面をロックねじ２１の大径の円形頭部２１ａの環状溝２１ｃの溝底に圧接させることができ、これによって、ロックねじ２１とキャップ２０ｂとを専用工具で一体的に回すことが可能となる。従って、納骨時にロックねじ２１を回して外すとき、専用工具にキャップ２０ｂとロックねじ２１を一体に保持させたままでロックねじ２１を支持部材１８のねじ孔１８ｃから外し、納骨後にロックねじ２１を再び捩じ込むまで専用工具をそのままにしておき、ロックねじ２１の捩じ込み後に、専用工具をキャップ２０ｂから取り外すようにされる。
【００１８】
以上説明したように、本発明の実施形態によれば、普段は蓋の閉鎖状態を確実に保持させ、納骨時等には納骨口の両側前方から専用工具によりロックねじ２１を回して支持部材１８の貫通孔１８ｂ内における係止部材１９のロックを解除して蓋の開放を可能にすることができ、納骨口６ａの両側が狭い場合にも上記操作を可能とすることができる。従って、本発明によれば、お骨の盗難を簡易に防止できる墓の納骨口蓋の設置構造を提供することができる。
なお、本発明は、上記実施の形態に限定されるものではない。例えば、上記実施形態は、支持部材の軸線を前後方向に水平にして納骨室の前面両側の前壁部材６ｂの上部に固着した場合を示しているが、本発明は、支持部材の軸線を納骨室の上下方向に垂直にして納骨口の両側で天板３に垂設固着して実施してもよい。
【図面の簡単な説明】
【００１９】
【図１】（Ａ）は本発明に係る墓の納骨口蓋の設置構造における蓋の取付金具部分の要部拡大横断平面図、（Ｂ）は取付金具の側面図、（Ｃ）は取付金具における取外し防止具部分の部分拡大断面図である。
【図２】本発明に係る墓の納骨口蓋の設置部の概略正面図である。
【図３】本発明に係る墓の納骨口蓋の設置構造の実施形態を示す概略斜視図である。
【符号の説明】
【００２０】
１      墓
２      台座部材
３      天板
４      隅柱
５      側壁
６      納骨室
６ａ    納骨口
６ｂ    前壁部材
６ｃ    取付孔
７      蓋
７ａ    係止孔
１８    支持部材
１８ａ  取付基部
１８ｂ  貫通孔
１８ｃ  ねじ孔
１８ｄ  取付段部
１８ｅ  環状凹溝
１８ｆ  座ぐり段部
１９    係止部材
１９ａ  大径の頭部
１９ｂ  係止部
１９ｃ  基部
１９ｄ  ロック溝
２０  取外し防止具
２０ａ  環状溝
２０ｂ  キャップ
２０ｃ  係止リング
２０ｄ  横穴
２１    ロックねじ
２１ａ  大径の円形頭部
２１ｂ  小径の角形頭部
２１ｃ  環状溝
２２    取付金具
【図１】
2005126968.tif 000003
【図２】
2005126968.tif 000004
【図３】
2005126968.tif 000005